(57)【要約】【課題】誘導加熱時に発生する漏洩電磁波による人体への不快な影響を逆に心地よいものにし、癒し感を与えることができる誘導加熱装置を提供する。【解決手段】高周波電流を通電することにより高周波磁界を発生させる誘導加熱コイル６と、前記誘導加熱コイル６への通電を制御するスイッチング手段８と、該スイッチング手段８の駆動手段１０と、前記誘導加熱コイル６、前記スイッチング手段８及び前記駆動手段１０を制御する制御手段１１とを備え、前記誘導加熱コイル６で発生した高周波磁界によって被加熱物を加熱する誘導加熱装置１において、前記スイッチング手段６に１／ｆゆらぎ発生手段１２を接続し、該１／ｆゆらぎ発生手段１２からの出力に同期して前記スイッチング手段８を前記駆動手段１０によって駆動させる。【選択図】  図１
2006095209.tif 000002
【特許請求の範囲】
【請求項１】
高周波電流を通電することにより高周波磁界を発生させる誘導加熱コイルと、前記誘導加熱コイルへの通電を制御するスイッチング手段と、該スイッチング手段の駆動手段と、前記誘導加熱コイル，前記スイッチング手段及び前記駆動手段を制御する制御手段とを備え、前記誘導加熱コイルで発生した高周波磁界によって被加熱物を加熱する誘導加熱装置において、前記スイッチング手段に１／ｆゆらぎ発生手段を接続し、該１／ｆゆらぎ発生手段からの出力に同期して前記スイッチング手段を前記駆動手段によって駆動させることを特徴とする誘導加熱装置。
【請求項２】
前記１／ｆゆらぎ発生手段からの出力は所定周期ごとに繰り返すようにすることを特徴とする請求項１に記載の誘導加熱装置。
【発明の詳細な説明】
【技術分野】
【０００１】
本発明は、炊飯器、電磁調理器等に利用される誘導加熱装置に関するものである。
【背景技術】
【０００２】
この種の誘導加熱装置は、誘導加熱コイルに周波数が２０ｋHzから８０ｋHz程度の高周波電流を通電することにより、該誘導加熱コイルで高周波磁界を発生させる。そして、この高周波磁界によって被加熱物を誘導加熱するものである。  
【０００３】
本発明に関連する先行技術文献としては次のものがある。
【０００４】
【特許文献１】特許２６９２３８１号公報（段落００１０〜００１２及び図１）
【０００５】
前記特許文献１では、加熱調理器において、１／ｆゆらぎ発生手段の出力に同期して加熱手段の加熱量を制御するようにし、炊飯物を自然の火に近い状態で加熱して炊きむらがないおいしい炊飯を可能としている。
【発明の開示】
【発明が解決しようとする課題】
【０００６】
しかしながら、前記加熱調理器では、炊飯中に加熱手段から発生する漏洩電磁波については全く考慮されていない。一方、電磁誘導加熱方式を採用して加熱する場合には、その時に発生する漏洩電磁波が人体に何らかの影響を及ぼす可能性があることが指摘されている。すなわち、この漏洩電磁波（実際には交番磁場及び交番電場）が脳深部の血流を増大し、調理中に圧迫感を感じさせるということである。
【０００７】
そこで、本発明は、漏洩電磁波による人体への不快な影響を逆に心地よいものにし、癒し感を与えることができる誘導加熱装置を提供することを課題とする。
【課題を解決するための手段】
【０００８】
前記課題を解決するため、本発明の誘導加熱装置は、
高周波電流を通電することにより高周波磁界を発生させる誘導加熱コイルと、前記誘導加熱コイルへの通電を制御するスイッチング手段と、該スイッチング手段の駆動手段と、前記誘導加熱コイル，前記スイッチング手段及び前記駆動手段を制御する制御手段とを備え、前記誘導加熱コイルで発生した高周波磁界によって被加熱物を加熱する誘導加熱装置において、前記スイッチング手段に１／ｆゆらぎ発生手段を接続し、該１／ｆゆらぎ発生手段からの出力に同期して前記スイッチング手段を前記駆動手段によって駆動させることを特徴としている。
【０００９】
前記１／ｆゆらぎ発生手段からの出力は所定周期ごとに繰り返すようにしてもよい。
【発明の効果】
【００１０】
本発明の誘導加熱装置は、高周波電流を通電することにより高周波磁界を発生させる誘導加熱コイルと、前記誘導加熱コイルへの通電を制御するスイッチング手段と、該スイッチング手段の駆動手段と、前記誘導加熱コイル，前記スイッチング手段及び前記駆動手段を制御する制御手段とを備え、前記誘導加熱コイルで発生した高周波磁界によって被加熱物を加熱する誘導加熱装置において、前記スイッチング手段に１／ｆゆらぎ発生手段を接続し、該１／ｆゆらぎ発生手段からの出力に同期して前記スイッチング手段を駆動させるので、漏洩電磁波が発生してもその電磁波が１／ｆゆらぎの分布をしているので、人体に不快感を与えることなく癒し感を与えることができる。
【発明を実施するための最良の形態】
【００１１】
以下、本発明の実施の形態を添付図面にしたがって説明する。
【００１２】
図１は、炊飯器に適用される本発明に係る誘導加熱装置１の回路図を示す。
【００１３】
前記誘導加熱装置１は、商用電源２に、ダイオードブリッジ３および平滑コンデンサ４からなり、交流電流を直流電流に変換するための整流回路５が接続されている。そして、この整流回路５には、高周波電流を通電することにより高周波磁界を発生させる誘導加熱コイル６、および、共振コンデンサ７が並列に接続されている。これら誘導加熱コイル６及び共振コンデンサ７の他端には、前記誘導加熱コイル６への通電をオン、オフ制御するＩＧＢＴ等のスイッチング手段８、及びダイオード９が並列に接続されている。前記スイッチング手段８のベースには、スイッチング手段８の駆動手段１０が接続されている。そして、この駆動手段１０には、マイコン等の制御手段１１が接続されているとともに、前記制御手段１１には、前記スイッチング手段８に１／ｆゆらぎ分布のオン、オフ制御をさせるための１／ｆゆらぎ発生手段１２が接続されている。この１／ｆゆらぎ発生手段１２の具体的な構成は図２に示すように、高周波出力毎に１／ｆゆらぎを生じさせるための発振信号を、例えばある一様乱数を発生させてそれを高速フーリエ変換し、それに１／ｆフィルタをかけて逆フーリエ変換させる等、周知の手段を使用して発生させる１／ｆゆらぎ発振信号発生手段１３と、炊飯工程設定手段１４（これは制御手段１１内に包含してもよい）からの出力信号を組み合わせて，制御手段１１内の１／ｆゆらぎを生じさせた状態で駆動手段１０に出力信号を送るスイッチング制御信号発生手段１５に信号を出力する。
【００１４】
次に、前記誘導加熱装置１を炊飯器に用いた場合の炊飯制御について説明する。
【００１５】
まず、前記誘導加熱コイル６に水と米を入れた鍋をセットして図示しない炊飯スイッチを押すと、炊飯器は図３に示すように、図示しない鍋温度検出手段で鍋の温度を検出しながら前記誘導加熱コイル６に高周波電流を供給して交番磁界を発生させ、鍋をフルパワー（本実施例では１２００Ｗ）で加熱する（図３中Ａ参照）。そして鍋の温度が沸騰温度（１００℃）間近では１２００Ｗでのオン・オフ制御を行い（図３中Ｂ参照）、沸騰間近であることを鍋温度検出手段で検知すると６００Ｗでのオン・オフ制御に切り換わり、沸騰を維持する（図３中Ｃ参照）。そして鍋内の水が蒸発しドライアップ状態になると出力を所定時間オフし，最後にフルパワーで短時間加熱し、余分な水分を飛ばす（図３中Ｄ参照）。本実施例では，上述の１２００Ｗでのオン・オフ制御（工程Ｂ）及び６００Ｗでのオン・オフ制御（工程Ｃ）において１／ｆゆらぎによる制御を行う。
【００１６】
上述の炊飯制御では、図４（ａ）に示すように、沸騰を検出してから沸騰を維持する工程Ｂにて周期２５ｍｓｅｃでの平均電力１２００Ｗとなり、かつ周期２５ｍｓｅｃの区間における高周波電流の周波数のパワースペクトル分布が図４(ｃ)に示すような２０ｋＨｚ〜４０ｋＨｚの範囲で１／ｆゆらぎ分布になるよう、前記１／ｆゆらぎ発生手段１２から信号を出力して前記制御手段１１に送り、さらに前記制御手段１１から前記駆動手段１０に駆動信号を出力して駆動手段１０は上述の１／ｆゆらぎ分布に同期して前記スイッチング手段８をオンオフ駆動させる。
【００１７】
また、加熱により鍋内の水分が蒸発していわゆるドライアップを検出後の二度炊き工程Ｃでは、図４(ｂ)に示すように平均電力を６００Ｗとする以外は上述と同様に、周期２５ｍｓｅｃの区間で高周波電流の周波数のパワースペクトル分布が図４(ｃ)に示すような２０ｋＨｚ〜４０ｋＨｚの範囲で１／ｆゆらぎ分布になるよう、前記１／ｆゆらぎ発生手段１２から信号を出力して前記制御手段１１に送り、さらに前記制御手段１１から前記駆動手段１０に駆動信号を出力して駆動手段１０は上述の１／ｆゆらぎ分布に同期して前記スイッチング手段８をオンオフ駆動させる。このようにして炊飯を行った場合、加熱中に炊飯器から高周波磁界が漏洩するが、その高周波磁界の周波数分布は１／ｆの分布をしているため、人体に不快感を与えず、却って癒し感を与えることができる。
【００１８】
なお、本発明は上記実施例に限定されるものではなく、例えば１／ｆゆらぎ発生の周期は２５ｍｓｅｃに限らず、任意の周期に設定が可能である。また、１／ｆゆらぎ発生手段１２は制御手段１１に外付けしているが、制御手段１１に内蔵して１／ｆ揺らぎ発生パターンを制御手段１１に記憶させてもよい。さらに、本実施例では共振コンデンサ７を用いたインバータ回路であるが、共振コンデンサ７を使用せず複数のスイッチング手段８を使用する回路にも利用できる。
【図面の簡単な説明】
【００１９】
【図１】本発明の実施形態に係る誘導加熱装置の回路図である。
【図２】１／ｆゆらぎ発生手段の構成を示すブロック図である。
【図３】図１の誘導加熱装置を炊飯器に用いた場合における、時間経過と電力及び鍋温度の変化を示す概略図である。
【図４】（ａ）及び（ｂ）は、図１の誘導加熱装置を炊飯器に用いた場合における、高周波電流の変化とスイッチング手段の動作を示した概略図、（ｃ）は高周波電流の周波数のパワースペクトル分布を示すグラフである。
【符号の説明】
【００２０】
１…誘導加熱装置
６…誘導加熱コイル
８…スイッチング手段
１０…駆動手段
１１…制御手段
１２…１／ｆゆらぎ制御手段
【図１】
2006095209.tif 000003
【図２】
2006095209.tif 000004
【図３】
2006095209.tif 000005
【図４】
2006095209.tif 000006